(57)【特許請求の範囲】
【請求項１】
電気炉から排ガスを直接吸引する直引系排気路と、電気炉の建家の天井フードから排ガスを間接的に吸引する建家系排気路を有し、該建家系排気路は少なくとも２系統あって該各建家系排気路に夫々建家系バグフィルタが設けられ、前記直引系排気路に設けられた直引系バグフィルタの下流を前記各建家系排気路における建家系バグフィルタの上流に夫々風量調整ダンパを介して連通させ、該各建家系バグフィルタに流入する排ガスの温度が常に一定温度以下となるように該各風量調整ダンパの開度を調節するようにしたことを特徴とする電気炉用集じん装置。
【発明の詳細な説明】
【０００１】
【発明の属する技術分野】
本発明は、主として、製鋼工場，廃棄物溶融施設等におけるアーク炉等の電気炉から排出される排ガスから有害物質を除去して排出する集じん装置に関するものである。
【０００２】
【従来の技術】
例えばアーク炉が設置された製鋼工場においては、溶解期に発生した排ガスを炉体内から直接吸引してバグフィルタに導きダストを捕集する直引系排気路と、スクラップ装入時や出鋼時等に該アーク炉から建家内に放出された排ガスを該アーク炉の真上に設けられた天井フードから吸引してバグフィルタに導く建家系排気路が従来から設けられている。またこの建家系排気路には、取鍋の真上に設けられた天井フードから吸引した排ガスをバグフィルタに導いて排出する第２の建家系排気路を有するもの、或いはさらに２系統以上の建家系排気路を有する製鋼工場がある。
そして炉体内から直接吸引した直引系排気路の排ガスは高温度であるので冷却塔に通して冷却した後にバグフィルタに通し、ダストを捕集するようにしている。
【０００３】
【発明が解決しようとする課題】
しかしながら従来の上記集じん装置では、直引系排気路を流れる排ガスの温度は高いために、有害物質で極めて毒性の強いダイオキシンをバグフィルタにて充分に捕集できない問題があった。ちなみに、図２はダイオキシン（ポリ塩化ジベンゾパラジオキシン，ポリ塩化ジベンゾフラン等の異性体の総称）の融点および沸点を示した状態図であるが、同図から、一般にダイオキシンは、高温度では気体状で、温度が下がるに従い液体化し、さらに温度を下げることにより固化することが判る。このため排ガス温度が高いとバグフィルタを通過させてもダイオキシンが捕集されないまま大気中に放出される割合が高い状況であった。
【０００４】
【課題を解決するための手段】
本発明は上記課題を解決し、電気炉の排ガス中のダイオキシンを効果的に捕集できる集じん装置を提供しようとするもので、電気炉から排ガスを直接吸引する直引系排気路と、電気炉の建家の天井フードから排ガスを間接的に吸引する建家系排気路を有し、該建家系排気路は少なくとも２系統あって該各建家系排気路に夫々建家系バグフィルタが設けられ、前記直引系排気路に設けられた直引系バグフィルタの下流を前記各建家系排気路における建家系バグフィルタの上流に夫々風量調整ダンパを介して連通させ、該各建家系バグフィルタに流入する排ガスの温度が常に一定温度以下となるように該各風量調整ダンパの開度を調節するようにしたことを特徴とする。
【０００５】
【発明の実施の形態】
次に図１に従い本発明の実施の形態を鉄スクラップ溶解用のアーク式電気炉の排ガス集じん装置について説明する。図中、１は炉体２中に電極３を垂下させたアーク式の電気炉、４は該電気炉１の上方に設けられたスクラップ炉頂予熱塔である。該炉頂予熱塔４は内部に下方に展開可能に支持棚５，６が設けられ、上端蓋７を開けて投入された鉄スクラップ８が該支持棚５，６上に支持されるようにしている。９は該炉頂予熱塔４の一側に設けられた排ガスバイパス用ダクト、１０は排ガス出口である。このため電気炉１内で発生した高温度の排ガスは矢印で示したように予熱塔４内を上昇すると共に、一部はダクト９を通って排ガス出口１０に導びかれ予熱塔４内の鉄スクラップ８を予熱する。そして予熱された鉄スクラップ８は支持棚５，６を下方に展開させることにより電気炉１中に投入され溶解される。なお、１１は電気炉１にて溶解された溶鋼を抽出する取鍋である。
【０００６】
また、Ａは送風機１４の作動により排ガス出口１０から電気炉１の排ガスを直接吸引する直引系排気路で、該直引系排気路Ａの上流部は水冷ダクトで構成され燃焼筒１２が設けられているとともに、その下流には直引系バグフィルタ１３が設けられている。また、Ｂ１は送風機１５を作動させることによって電気炉１の真上の建家天井部に設けられた天井フード１６および燃焼筒１２上に設けられた天井フード１７から排ガスを間接的に吸引し建家系バグフィルタ１８に送風する第１の建家系排気路、Ｂ２は送風機１９を作動させることによって取鍋１１の真上に設けられた天井フード２０から排ガスを間接的に吸引し建家系バグフィルタ２１に送風する第２の建家系排気路である。この建家系バグフィルタ１８，２１は、複数のバグハウスからなり、排ガス中のダストをフィルタの内周面に付着させる。そして定期的にフィルタを振動させることでその付着ダストを払い落としホッパより排出できるようにしている。
【０００７】
２２は直引系排気路Ａの送風機１４の下流と建家系排気路Ｂ１，Ｂ２の送風機１５，１９の上流を連通させる連通系路、２３は該連通系路２２に設けられた連絡ダンパ、２４は該連通系路２２を大気中に解放するために設けられたバイパスダンパ、２５は該連通系路２２から建家系排気路Ｂ１へ流通させる排ガス量を調整するために設けられた風量調整ダンパ、２６は該連通系路２２から建家系排気路Ｂ２へ流通させる排ガス量を調整するために設けられた風量調整ダンパ、２７は該建家系排気路Ｂ１の排ガスと連通系路２２から流入した排ガスとが混合した後の排ガスの温度を測定するため送風機１５の上流に設けられた熱電対、２８は該建家系排気路Ｂ２の排ガスと連通系路２２から流入した排ガスとが混合した後の排ガスの温度を測定するため送風機１９の上流に設けられた熱電対である。
【０００８】
また３０は温度設定制御装置で、該温度制御装置にはダイオキシンが固化する温度（６０〜７０℃）を適宜設定でき、熱電対２７，２８から温度測定信号を受信し、その測定温度が常にその設定温度以下に保たれるように風量調整ダンパ２５，２６の開度を調節する。即ち、直引系排気路Ａから流入してくる直引系排ガスの温度や、建家系排気路Ｂ１，建家系排気路Ｂ２の建家系排ガスの温度は、スクラップ投入時，出鋼時等の操業状態により大きく変動するが、直引系排ガスの温度は概して１５０℃以上の高温度であるのに対し、建家系排気路Ｂ１や建家系排気路Ｂ２の建家系排ガスの温度はこれより低い状態（２０〜４０℃）であることが多いので、いま熱電対２７による測定温度が上昇したときは風量調整ダンパ２５の開度を絞る一方、風量調整ダンパ２６の開度を大きくし直引系排ガスがより多く建家系排気路Ｂ２に流入するようにする。また反対に熱電対２８による測定温度が上昇したときは風量調整ダンパ２６の開度を絞る一方、風量調整ダンパ２５の開度を大きくし直引系排ガスがより多く建家系排気路Ｂ１に流入するようにし、両建家系排気路Ｂ１，Ｂ２の排ガス温度をバランスさせる。
【０００９】
また、熱電対２７，２８による測定温度が万一両系統とも設定温度を超すような場合は、制御装置３０からの指令により連絡ダンパ２３を絞り、該直引系排気路Ａからの排ガスの流入が制限されるようにしている。なお、このような場合、送風機１４の回転数を下げ、あるいは送風機１５，１９の回転数を上げることによっても対処し得る。なお、バイパスダンパ２５は直引系排気路Ａの排ガス中に有害物質が含まれるおそれのない時、これを開き直接大気中に排出するために設けられている。
【００１０】
なおこの実施形態では示していないが、直引系排気路Ａに活性炭あるいは消石灰等を吹込むことによって、排ガス中のＨＣｌ，ＳＯ4 等の酸化性ガスを中和させ、あるいはさらに一層完全に塩素化合物等の有害物質の排出を抑えるようにすることもできる。
【００１１】
【発明の効果】
このように本発明の電気炉用集じん装置は、直引系排気路の高温度の排ガスを２系統の建家系排気路に適宜分流させその建家系バグフィルタに流入する排ガスの温度が常に一定温度以下となるようにしたので、電気炉の排ガス中に含まれる猛毒のダイオキシンを固化させ容易に高効率で捕集できその飛散を防止する有益な効果がある。
【図面の簡単な説明】
【図１】本発明に係る電気炉用集じん装置の実施形態を示した排ガス系統図。
【図２】ダイオキシンの状態図。
【符号の説明】
Ａ                直引系排気路
Ｂ１，Ｂ２        建家系排気路
１                電気炉
１１              取鍋
１２              燃焼筒
１３              直引系バグフィルタ
１４，１５，１９  送風機
１６，１７，２０  天井フード
１８，２１        建家系バグフィルタ
２２              連通系路
２５，２６        風量調整ダンパ
２７，２８        熱電対
３０              温度設定制御装置
【図１】
0003893704.tif 000002
【図２】
0003893704.tif 000003